(57)【要約】【課題】巻付防止体の外周側に夾雑物が巻き付きにくい農作業機を提供する。【解決手段】農作業機11は、回転中心軸線Ａを中心として回転する回転軸体13を備える。回転軸体13には、複数の爪体14を取り付ける。回転軸体13の軸方向端部の外周側には、回転軸体13への夾雑物の巻き付きを防止する環状の巻付防止体51を設ける。巻付防止体51は、回転中心軸線Ａを中心とする仮想円筒面よりも外方側に位置する凸部52を有する。【選択図】図１
2015000043.tif 000002
【特許請求の範囲】
【請求項１】
回転中心軸線を中心として回転する回転軸体と、
この回転軸体に取り付けられた爪体と、
前記回転軸体への夾雑物の巻き付きを防止する環状の巻付防止体とを備え、
前記巻付防止体は、前記回転中心軸線を中心とする仮想円筒面よりも外方側に位置する凸部を有する
ことを特徴とする農作業機。
【請求項２】
巻付防止体の凸部は、仮想円筒面からの距離が回転方向前端側から回転方向後端側に向かって徐々に増大するように位置する曲面を有する
ことを特徴とする請求項１記載の農作業機。
【請求項３】
巻付防止体は、回転軸体に脱着可能に取り付けられている
ことを特徴とする請求項１または２記載の農作業機。
【請求項４】
巻付防止体は、爪体を取り付けるための取付手段によって、回転軸体の爪取付部に脱着可能に取り付けられている
ことを特徴とする請求項３記載の農作業機。
【請求項５】
巻付防止体は、回転軸体の軸方向端部の外周面を覆うように取り付けられている
ことを特徴とする請求項１ないし４のいずれか一記載の農作業機。
【請求項６】
巻付防止体は、複数の防止体構成部材を有し、
前記複数の防止体構成部材の組合せにより、前記巻付防止体が環状に形成されている
ことを特徴とする請求項１ないし５のいずれか一記載の農作業機。
【請求項７】
巻付防止体は、
それぞれ一端部に取付部が形成されるとともに他端部に連結部が形成された１対の防止体構成部材と、
これら両防止体構成部材を連結する連結部材とを有し、
前記両防止体構成部材の取付部が互いに重なった状態で回転軸体の爪取付部に取り付けられ、かつ、前記両防止体構成部材の連結部同士が前記連結部材にて連結されている
ことを特徴とする請求項１ないし６のいずれか一記載の農作業機。
【発明の詳細な説明】
【技術分野】
【０００１】
本発明は、環状の巻付防止体を備える農作業機に関するものである。
【背景技術】
【０００２】
従来、例えば特許文献１に記載された農作業機が知られている。
【０００３】
この従来の農作業機は、回転中心軸線を中心として回転する回転軸体と、この回転軸体の爪取付部にボルトおよびナットにて取り付けられた爪体と、回転軸体の爪取付部に連結され、回転軸体への夾雑物（草等）の巻き付きを防止する真円形環状の補強リングとを備えている。
【先行技術文献】
【特許文献】
【０００４】
【特許文献１】特開平２−１９５８０１号公報
【発明の概要】
【発明が解決しようとする課題】
【０００５】
しかしながら、上記従来の農作業機では、真円形環状の補強リングの外周側に夾雑物が巻き付きやすく、また、巻き付いた夾雑物は、回転軸体の回転に基づいて固く締まってしまい、除去するのに手間を要するという問題がある。
【０００６】
すなわち例えば図１５に示すように、補強リング１が真円形環状である場合には、その補強リング１の外周面に夾雑物ａが巻き付きやすく、また、一旦巻き付いた夾雑物ａは、回転軸体２の回転に基づいて固く締まり、補強リング１の外周面から除去するのに手間がかかる。
【０００７】
本発明は、このような点に鑑みなされたもので、巻付防止体の外周側に夾雑物が巻き付きにくく、また、夾雑物が巻き付いたとしてもその巻き付いた夾雑物を容易に除去できる農作業機を提供することを目的とする。
【課題を解決するための手段】
【０００８】
請求項１記載の農作業機は、回転中心軸線を中心として回転する回転軸体と、この回転軸体に取り付けられた爪体と、前記回転軸体への夾雑物の巻き付きを防止する環状の巻付防止体とを備え、前記巻付防止体は、前記回転中心軸線を中心とする仮想円筒面よりも外方側に位置する凸部を有するものである。
【０００９】
請求項２記載の農作業機は、請求項１記載の農作業機において、巻付防止体の凸部は、仮想円筒面からの距離が回転方向前端側から回転方向後端側に向かって徐々に増大するように位置する曲面を有するものである。
【００１０】
請求項３記載の農作業機は、請求項１または２記載の農作業機において、巻付防止体は、回転軸体に脱着可能に取り付けられているものである。
【００１１】
請求項４記載の農作業機は、請求項３記載の農作業機において、巻付防止体は、爪体を取り付けるための取付手段によって、回転軸体の爪取付部に脱着可能に取り付けられているものである。
【００１２】
請求項５記載の農作業機は、請求項１ないし４のいずれか一記載の農作業機において、巻付防止体は、回転軸体の軸方向端部の外周面を覆うように取り付けられているものである。
【００１３】
請求項６記載の農作業機は、請求項１ないし５のいずれか一記載の農作業機において、巻付防止体は、複数の防止体構成部材を有し、前記複数の防止体構成部材の組合せにより、前記巻付防止体が環状に形成されているものである。
【００１４】
請求項７記載の農作業機は、請求項１ないし６のいずれか一記載の農作業機において、巻付防止体は、それぞれ一端部に取付部が形成されるとともに他端部に連結部が形成された１対の防止体構成部材と、これら両防止体構成部材を連結する連結部材とを有し、前記両防止体構成部材の取付部が互いに重なった状態で回転軸体の爪取付部に取り付けられ、かつ、前記両防止体構成部材の連結部同士が前記連結部材にて連結されているものである。
【発明の効果】
【００１５】
本発明によれば、巻付防止体の外周側に夾雑物が巻き付きにくく、また、夾雑物が巻き付いたとしてもその巻き付いた夾雑物を容易に除去できる。
【図面の簡単な説明】
【００１６】
【図１】本発明の第１の実施の形態に係る農作業機の側面図である。
【図２】同上農作業機の正面図である。
【図３】同上農作業機の部分正面図である。
【図４】同上農作業機の部分側面図である。
【図５】（ａ）および（ｂ）は同上農作業機の巻付防止体の一方の防止体構成部材を示す図である。
【図６】（ａ）および（ｂ）は同上農作業機の巻付防止体の他方の防止体構成部材を示す図である。
【図７】（ａ）ないし（ｃ）は同上農作業機の作用説明図である。
【図８】本発明の第２の実施の形態に係る農作業機の部分正面図である。
【図９】同上農作業機の部分側面図である。
【図１０】同上農作業機の巻付防止体の防止体構成部材を示す図である。
【図１１】同上巻付防止体の受け部材を示す図である。
【図１２】本発明の第３の実施の形態に係る農作業機の部分側面図である。
【図１３】本発明の第４の実施の形態に係る農作業機の部分側面図である。
【図１４】本発明の第５の実施の形態に係る農作業機の部分側面図である。
【図１５】従来の農作業機の作用説明図である。
【発明を実施するための形態】
【００１７】
本発明の第１の実施の形態について図１ないし図７を参照して説明する。
【００１８】
図中の11は農作業機で、この農作業機11は、例えば走行車であるトラクタ（図示せず）の後部に連結され、圃場上をトラクタの前進走行により前方（進行方向）に移動しながら草刈作業をする草刈作業機（フレールモア）である。
【００１９】
農作業機11は、図１および図２等に示されるように、トラクタの後部の３点ヒッチ部（作業機昇降支持部）に解除可能に連結される機体12と、この機体12に所定方向（図１等に示す回転方向）に回転可能に設けられ水平方向の回転中心軸線Ａを中心として回転する左右方向の回転軸体13と、この回転軸体13に可動可能に取り付けられた草刈用の複数の爪体14とを備えている。
【００２０】
機体12は、図示しないトラクタの後部の３点ヒッチ部に解除可能に連結される３点連結部16を有している。３点連結部16は、トラクタの３点ヒッチ部の上部リンクに連結される１本のトップマスト17と、トラクタの３点ヒッチ部の下部リンクに連結される左右２本のロワアーム18とを有している。
【００２１】
また、機体12は、左右方向中央部に入力軸支持部19を有し、この入力軸支持部19にて前後方向の入力軸20が回転可能に支持されている。入力軸20は、トラクタのＰＴＯ軸にジョイントを介して接続され、そのＰＴＯ軸から出力される動力が入力軸20に入力される。また、入力軸20には、この入力軸20に入力された動力を回転軸体13へ伝達する動力伝達手段21が接続されている。
【００２２】
動力伝達手段21は、伝動シャフト22、上下のプーリ23，24、これら両プーリ23，24に掛け渡された無端状の伝動ベルト25等にて構成されている。そして、両プーリ23，24および伝動ベルト25は、機体12の左右方向一端側である左端側（進行方向左側）に位置する伝動ケース部26内に収納配設されている。伝動シャフト22は、入力軸支持部19から側方へ突出したフレームパイプ部27内に配設されている。
【００２３】
さらに、機体12は、この機体12の左右方向両端側に鉛直状に位置して互いに離間対向する左右１対の側板部31を有し、これら両側板部31にて水平状の回転軸体13が回転可能に支持されている。この回転軸体13の上方部は、湾曲状のカバー板部32にて覆われている。
【００２４】
左右の各側板部（回転軸体支持部）31は、上側板33を有し、この上側板33の下端部内面には下側板34の上端部が取り付けられている。
【００２５】
また、図３にも示されるように、上側板33の下部外面には外側ボス（軸支持部分）36が固定的に突設され、かつ、上側板33の下部内面には内側ボス（軸覆い部分）37が固定的に突設されている。
【００２６】
外側ボス36は、ボルト38によって上側板33および内側ボス37に対して固定されている。外側ボス36は、回転軸体13の軸方向端部を回転可能に支持するベアリング部39を内周側に有している。一方、内側ボス37は、回転軸体13の軸方向端部を覆う円筒状に形成され、この内側ボス37内に回転軸体13の軸方向端部が挿通されている。
【００２７】
なお、上側板33、下側板34、外側ボス36および内側ボス37等にて、機体12の側板部31が構成されている。また、左側の側板部31の外面側に伝動ケース部26が固設されている。
【００２８】
回転軸体13は、機体12の両側板部31の下部にて回転可能に水平状に支持された左右方向の回転軸部41を有している。
【００２９】
回転軸部41は、外周面が全長にわたって円筒面状に形成された中空状の軸本体部分41aと、この軸本体部分41aの軸方向両端面に突設され、外側ボス36のベアリング部39にて回転可能に支持された丸軸状の軸端部分41bとにて構成されている。
【００３０】
また、回転軸部41の軸本体部分41aの外周面には、複数の爪取付部42が回転軸体13の径方向外方に向かって突設されている。つまり、爪取付部42は、回転軸部41の軸本体部分41aの全長に分散して位置するように、回転軸部41の軸本体部分41aの外周面における螺旋方向に等間隔をおいた複数位置に突出状に固設されており、側面視では爪取付部42が回転軸体13の周方向に９０度間隔で配設されている。さらに、これらの各爪取付部42は、例えば左右に互いに離間対向する対をなす対向板43にて構成されている。各対向板43は、回転軸体13の周方向に沿った板状であり、この各対向板43には円形状の挿通用孔44が形成されている。
【００３１】
そして、回転軸体13の各爪取付部42には、板状の刈爪である爪体14が取付手段46を介して可動可能でかつ脱着可能に取り付けられている。
【００３２】
各爪体14は、例えば断面へ字状をなすように中間の１箇所で折り曲げられた板状の２枚の板刃部材（爪構成部材）14aにて構成されている。各板刃部材14aは、側面視で略矩形状をなすもので、この板刃部材14aの基端側には、板刃部材14aの長手方向に沿った長手状の長孔14bが形成されている。
【００３３】
また、爪体14を爪取付部42に取り付けるための取付手段46は、例えばボルト軸部47aおよびボルト頭部47bからなるボルト47と、このボルト47のボルト軸部47aのねじ溝部分に螺着可能なナット48と、ボルト軸部47aの外周側に２つの基端側が回動可能に連結された連結部材であるＵ字状部材（シャックル）49とにて構成されている。
【００３４】
Ｕ字状部材49は、基端側の環状をなす２つの環状部49aと、これら２つの環状部49aを繋ぐ先端側のＵ字部49bとからなり、各環状部49aには円形状の挿通用孔49cが形成されている。
【００３５】
そして、Ｕ字状部材49のＵ字部49bが爪体14の長孔14bに遊挿されるとともに、ボルト47のボルト軸部47aがそのＵ字状部材49の環状部49aの挿通用孔49cおよび回転軸体13の爪取付部42の挿通用孔44に挿通され、かつ、その挿通されたボルト47のボルト軸部47aにナット48が螺着されることにより、爪体14がこれらボルト47、ナット48およびＵ字状部材49を介して回転軸体13の爪取付部42に可動可能でかつ脱着可能に取り付けられている。
【００３６】
つまり、回転軸体13のすべての各爪取付部42には、取付手段46を介して爪体14が可動可能でかつ脱着可能に取り付けられている。そして、この状態で、Ｕ字状部材49は、取付手段46のボルト47のボルト軸部47aに対してこのボルト軸部47aを中心として回動可能となっている。また、Ｕ字状部材49のＵ字部49bが長孔14bに遊挿されているため、爪体14は、そのＵ字部49bに沿って摺動可能でかつそのＵ字部49bを中心として回動可能となっている。このため、例えば回転軸体13の回転時には、爪体14は、遠心力に基づき、回転軸体13の径方向に沿った状態となる（図３参照）。
【００３７】
また、農作業機11は、図１ないし図４等に示されるように、回転軸体13の左右の各軸方向端部に後付けにより脱着可能に取り付けられ、対応する側板部31の内面近傍に位置して回転軸体13の軸方向端部の外周側への夾雑物（例えば草等）ａの巻き付きを防止する非真円形の環状の巻付防止体51を備えている。
【００３８】
巻付防止体51は、例えば爪体14を取り付けるための取付手段46によって、回転軸体13の爪取付部（回転軸体13の軸方向端部に位置する爪取付部）42の側板部31側の対向板43に、回転軸部41の軸本体部分41aの軸方向端部の外周面および内側ボス37の外周面を覆うように取り付けられている。
【００３９】
また、巻付防止体51は、回転中心軸線Ａを中心とする真円形の環状ではなく、周方向に交互に並ぶ凸部52および凹部53を有する非真円形の環状に形成されている。
【００４０】
つまり、巻付防止体51は、回転軸体13の回転中心軸線Ａを中心とする仮想円筒面Ｂよりも径方向外方側に位置する曲板状の複数、すなわち例えば周方向に互いに離れた２つの凸部52と、その仮想円筒面Ｂよりも径方向内方側に位置する曲板状の複数、すなわち例えば周方向に互いに離れた２つの凹部53とを有している。
【００４１】
各凸部52は、仮想円筒面Ｂからの距離（回転中心軸線Ａからの距離）が回転方向前端側から回転方向後端側に向かって徐々に増大するように位置する非円弧状の曲面55を外面に有している。なお、図５（ａ）および図６（ａ）において、凸部52は、右上がりの斜線が施された部分である。
【００４２】
ここで、図４ないし図６から明らかなように、巻付防止体51は、周方向に分割された略半円弧状をなす複数、すなわち例えば１対の防止体構成部材（分割部材）56と、これら２つの両防止体構成部材56の先端部同士を連結する連結部材（締付部材）57とを有し、これら両防止体構成部材56の組合せにより巻付防止体51が非真円形の環状に形成されている。
【００４３】
連結手段である連結部材57は、例えばボルト軸部58aおよびボルト頭部58bからなる連結用ボルト58と、この連結用ボルト58のボルト軸部58aのねじ溝部分に螺着可能な連結用ナット59とにて構成されている。そして、連結用ボルト58に連結用ナット59が螺着されることにより、両防止体構成部材56が回転軸体13の外周面に対して締め付け固定される。
【００４４】
各防止体構成部材56は、例えば曲板状の取付板部61と、この取付板部61の一方側の面に直交状に固設された曲板状で長手状のガード板部62とにて構成されている。
【００４５】
取付板部61は、回転軸部41の軸本体部分41aの軸方向端部の外周面に接触（圧接）する接触面63が内面に形成された略半円弧状の曲板64と、この曲板64の長手方向一端側である基端側に設けられた取付部である取付板65と、曲板64の長手方向他端側である先端側に折曲げにより一体に設けられた連結部である連結板66とを有している。
【００４６】
取付板65には、ボルト47のボルト軸部47aが挿通される円形状の挿通用孔65aが形成されている。なお、図５に示す一方の防止体構成部材56には取付板65と曲板64との間に段差部67があるが、図６に示す他方の防止体構成部材56には段差部67がなく、取付板65と曲板64とが連続して同一面上に位置している。
【００４７】
連結板66には、連結用ボルト58のボルト軸部58aが挿通される円形状の挿通用孔66aが形成されている。なお、連結板66は、回転軸体13の軸方向に沿った板状であるが、取付板65は、回転軸体13の周方向に沿った板状である。
【００４８】
ガード板部62は、回転軸部41の軸本体部分41aの軸方向端部の外周面から径方向外方側へ離れて位置する略半円弧状の曲板70のみで構成されている。曲板70は、例えば細長い矩形状の板材を湾曲状に曲げたものであり、この曲板70によって、回転軸部41の軸本体部分41aの軸方向端部の外周面および内側ボス37の外周面が覆われている。
【００４９】
そして、この曲板70は、仮想円筒面Ｂから径方向外方側に位置する凸部52を回転方向後側に有し、かつ、仮想円筒面Ｂよりも径方向内方側に位置する凹部53を回転方向前側に有している。また、凸部52の外面が、仮想円筒面Ｂからの距離が回転方向前端側から回転方向後端側に向かって徐々に増大する曲面55となっている。
【００５０】
なお、図１に示されるように、機体12の後部には接地輪71が設けられ、この接地輪71の高さ位置はハンドル72の操作によって調整可能となっている。
【００５１】
次に、上記農作業機11の作用等を説明する。
【００５２】
まず、巻付防止体51を回転軸体13に対して後付けする場合について説明する。
【００５３】
この場合、作業者は、一方の防止体構成部材56の取付板65と他方の防止体構成部材56の取付板65とを互いに重ね合わせ、この重なった状態の両取付板65をボルト47およびナット48にて回転軸体13の爪取付部42に取り付ける。
【００５４】
その後、一方の防止体構成部材56の連結板66と他方の防止体構成部材56の連結板66とを互いに対向させ、この対向した両連結板66同士を連結用ボルト58および連結用ナット59にて連結する。
【００５５】
こうして、２つの防止体構成部材56が組み合わされて非真円の環状の形状となり、両防止体構成部材56の取付板部61の接触面63が回転軸体13の軸方向端部の外周面に圧接した状態となり、両防止体構成部材56のガード板部62によって回転軸体13の軸方向端部の外周面および内側ボス37の外周面が覆われた状態となる。
【００５６】
そして、巻付防止体51を取り付けた農作業機11を用いて草刈作業をする場合には、農作業機11をトラクタの後部に連結した状態でトラクタの前進走行により進行方向に移動させつつ、トラクタ側からの動力によって回転軸体13を所定方向に高速回転させる。
【００５７】
すると、複数の爪体14が、回転軸体13とともに所定の回転方向に高速回転しながら、圃場に植生した草等を切断処理する。
【００５８】
ここで、機体12の左右の側板部31の内面近傍付近においては、爪体14が存在しないため、草等の夾雑物ａが環状の巻付防止体51の外周側に巻き付こうとする。
【００５９】
しかし、この環状の巻付防止体51は、周方向に交互に並ぶ凸部52および凹部53を有する非真円形の環状に形成されているため、巻き付こうとする夾雑物ａに振動を付与しながらその夾雑物ａを展張することにより、夾雑物ａの巻き付きの発達を抑える。つまり、非真円形環状の巻付防止体51は、真円形環状のものに比べて、夾雑物ａが巻き付きにくい。
【００６０】
また、図７（ａ）に示すように、草等の夾雑物ａが環状の巻付防止体51の外周側に巻き付いてしまった場合には、その巻き付いて真円形環状になった夾雑物ａの内周側と巻付防止体51のガード板部62の外周側との間に、所定の大きさの空間部（図７において、右上がりの斜線が施された部分）80が形成される。
【００６１】
さらに、図７（ｂ）に示すように、回転軸体13の回転速度、つまり回転軸体13と一体となって回転する巻付防止体51の回転速度が比較的高速であるため、巻き付いた真円形環状の夾雑物ａは、巻付防止体51に対して固く締まることなく、遠心力に基づいて拡径して真円形環状の隙間部81が形成される。つまり、この隙間部81の分だけ、空間部80が増大する。
【００６２】
また、図７（ｃ）に示すように、巻き付いた真円形環状の夾雑物ａは、例えばカマ等の切断具82を空間部80に差し込んでその夾雑物ａの一部を切断することにより、巻付防止体51の外周側から容易に除去することが可能である。
【００６３】
そして、このような農作業機11によれば、巻付防止体51の外周側に夾雑物ａが巻き付きにくく、よって、連続して効率良く作業ができ、また、夾雑物ａが巻き付いたとしても、その巻き付いた夾雑物ａを空間部80を利用して巻付防止体51の外周側から容易に除去できる。
【００６４】
また、巻付防止体51の凸部52は、回転中心軸線Ａを中心とする仮想円筒面Ｂからの距離が回転方向前端側から回転方向後端側に向かって徐々に増大するように位置する曲面55を有するため、巻付防止体51の外周側への夾雑物ａの巻き付きを適切に抑制できる。
【００６５】
さらに、巻付防止体51は、回転軸体13の軸方向端部に脱着可能に取り付けられているため、巻付防止体51の交換が可能であり、しかも、巻付防止体51を容易に後付けできる。
【００６６】
また、爪体14を取り付けるための取付手段46のボルト47およびナット48を用いて、巻付防止体51を回転軸体13の爪取付部42に容易に取り付けることができる。
【００６７】
次に、図８ないし図１１には、本発明の第２の実施の形態が示されている。
【００６８】
この第２の実施の形態に係る農作業機11では、巻付防止体51は、複数の受け部材85を介して、回転軸体13の左右の各軸方向端部の外周面に脱着可能に取り付けられている。
【００６９】
つまり、回転軸部41の軸本体部分41aの軸方向端部の外周面に受け部材85が溶接等により固設され、この固設された受け部材85に巻付防止体51が取付手段である取付ボルト86にて脱着可能に取り付けられている。
【００７０】
受け部材85は、断面略コ字状の受け板部87と、この受け板部87に固設された複数、例えば２つのナット部88とにて構成されている。受け板部87には、取付ボルト86が挿通される挿通用孔89がナット部88のねじ孔に連通するように形成されている。
【００７１】
また、巻付防止体51を構成する２つの各防止体構成部材56は、例えば曲板状で長手状のガード板部91と、このガード板部91の長手方向両端部に一体にそれぞれ設けられた矩形状で平板状の取付板部92とにて構成されている。各取付板部92には、取付ボルト86が挿通される２つの挿通用孔93が形成されている。
【００７２】
ガード板部91は、回転軸部41の軸本体部分41aの軸方向端部の外周面から径方向外方側へ離れて位置する略半円弧状の曲板95のみで構成されている。曲板95は、例えば細長い矩形状の板材を湾曲状に曲げたものであり、この曲板95によって、回転軸部41の軸本体部分41aの軸方向端部の外周面および内側ボス37の外周面が覆われている。
【００７３】
そして、この環状の巻付防止体51の曲板95は、前記第１の実施の形態の巻付防止体51の曲板70と同様、仮想円筒面Ｂから径方向外方側に位置する凸部52を回転方向後側に有し、かつ、仮想円筒面Ｂよりも径方向内方側に位置する凹部53を回転方向前側に有している。また、凸部52の外面が、仮想円筒面Ｂからの距離が回転方向前端側から回転方向後端側に向かって徐々に増大する曲面55となっている。なお、その他の構成は第１の実施の形態と基本的に同じである。
【００７４】
そして、この第２の実施の形態に係る農作業機11でも、巻付防止体51の外周側に夾雑物ａが巻き付きにくく、また、夾雑物ａが巻き付いたとしてもその巻き付いた夾雑物ａを空間部80を利用して容易に除去できる等、第１の実施の形態と同様の作用効果を奏することができる。
【００７５】
また、例えば図１２に示す第３の実施の形態のように、前記第２の実施の形態における巻付防止体51の各防止体構成部材56の回転方向後側の取付板部92に、径方向外方側に向かって傾斜状に突出する平板状の立上り板部96が一体に連設された構成でもよい。
【００７６】
さらに、例えば図１３に示す第４の実施の形態のように、前記第２の実施の形態における巻付防止体51の各防止体構成部材56の回転方向後側の取付板部92に、径方向外方側に向かって傾斜状に突出する湾曲板状の立上り板部97が一体に連設された構成でもよい。
【００７７】
また、例えば図１４に示す第４の実施の形態のように、前記第２の実施の形態における巻付防止体51を、凸部52および凹部53を有する楕円形環状をなす１つの防止体構成部材100のみで構成してもよい。
【００７８】
なお、例えば３つ或いは４つ以上の防止体構成部材を組み合わせることにより、環状の巻付防止体51を構成するようにしてもよく、また巻付防止体51の形状は、例えば多角形の環状等でもよい。
【００７９】
また、例えば巻付防止体51が回転軸体13の軸方向端部の外周側に溶接等により固設された構成等でもよい。
【００８０】
さらに、草刈作業機である農作業機11を用いて、例えば畝に生育した馬鈴薯等の農作物の茎葉を切断することも可能であり、この場合には夾雑物として茎葉が巻付防止体51の外周側に巻き付くことがある。
【００８１】
さらに、農作業機11は、草刈作業機には限定されず、例えば耕耘整地作業をするロータリやハロー等でもよい。
【００８２】
また、農作業機11は、トラクタの後部に連結する牽引式には限定されず、走行手段を備えた自走式でもよい。
【符号の説明】
【００８３】
11    農作業機
13    回転軸体
14    爪体
42    爪取付部
46    取付手段
51    巻付防止体
52    凸部
55    曲面
56    防止体構成部材
57    連結部材
65    取付部である取付板
66    連結部である連結板
ａ    夾雑物
Ａ    回転中心軸線
Ｂ    仮想円筒面
【図１】
2015000043.tif 000003
【図２】
2015000043.tif 000004
【図３】
2015000043.tif 000005
【図４】
2015000043.tif 000006
【図５】
2015000043.tif 000007
【図６】
2015000043.tif 000008
【図７】
2015000043.tif 000009
【図８】
2015000043.tif 000010
【図９】
2015000043.tif 000011
【図１０】
2015000043.tif 000012
【図１１】
2015000043.tif 000013
【図１２】
2015000043.tif 000014
【図１３】
2015000043.tif 000015
【図１４】
2015000043.tif 000016
【図１５】
2015000043.tif 000017